(57)【要約】  【課題】  マンション等の高層集合住宅における排水管洗浄作業において、作業員が宅内に入る事なく、安全かつ効率的に宅外から排水管を洗浄することができる。加えてヘッダー給気管を介して通気が行えるため、各排水口に設けられたトラップの封水がきれるのを防止し、排水管の悪臭が排水管から部屋の中へ漏れることを防止できる。  【解決手段】  建物内を縦に配管された排水縦本管と、前記排水縦本管に接続され各階ごとに横に配管された排水横主管と、前記排水横主管から分岐され宅内に配管された排水横枝管とを備えた排水管洗浄システムにおいて、宅外に設置された導管ヘッダーと、前記導管ヘッダーから宅内の前記排水横枝管に配管された第１のノズル導管と、各階ごとに前記導管ヘッダーから前記排水縦本管に配管された戻りワイヤ収納管と、前記導管ヘッダーから、前記第１のノズル導管、前記排水横枝管、前記排水横主管、前記排水縦本管、および前記戻りワイヤ収納管を介し、前記導管ヘッダーへと貫通された第１のループ状のワイヤと、を備える。【選択図】  図３
2006077441.tif 000002
【特許請求の範囲】
【請求項１】
建物内を縦に配管された排水縦本管と、前記排水縦本管に接続され各階ごとに横に配管された排水横主管と、前記排水横主管から分岐され宅内に配管された排水横枝管とを備えた排水管洗浄システムにおいて、
宅外に設置された導管ヘッダーと、
前記導管ヘッダーから宅内の前記排水横枝管に配管された第１のノズル導管と、
各階ごとに前記導管ヘッダーから前記排水縦本管に配管された戻りワイヤ収納管と、
前記導管ヘッダーから、前記第１のノズル導管、前記排水横枝管、前記排水横主管、前記排水縦本管、および前記戻りワイヤ収納管を介し、前記導管ヘッダーへと貫通された第１のループ状のワイヤと、
を備えたことを特徴とする排水管洗浄システム。
【請求項２】
請求項１に記載の排水管洗浄システムにおいて、
さらに、各階ごとに前記導管ヘッダーから前記排水縦本管に配管された第２のノズル導管と、
前記導管ヘッダーから、前記第２のノズル導管、排水縦本管、階下の戻りワイヤ収納管を介し、前記導管ヘッダーへと貫通された第２のループ状のワイヤと
を備えたことを特徴とする排水管洗浄システム。
【請求項３】
請求項１乃至２に記載の排水管洗浄システムにおいて、
さらに、前記第１のノズル導管と前記排水横枝管とを接続する接続部材である特殊継ぎ手を備えたことを特徴とする排水管洗浄システム。
【請求項４】
請求項１乃至３に記載の排水管洗浄システムにおいて、
前記戻りワイヤ収納管は、戻りワイヤ横収納管、戻りワイヤ縦収納管およびヘッダー戻りワイヤ収納管から構成されることを特徴とする排水管洗浄システム。
【請求項５】
請求項１乃至４に記載の排水管洗浄システムにおいて、
さらに、前記導管ヘッダーの上部に設けられた第１のヘッダー給気管と、
前記第１のヘッダー給気管に設けられた第１のヘッダー栓と、
前記導管ヘッダーの下部に設けられた第２のヘッダー給気管と、
前記第２のヘッダー給気管に設けられた第２のヘッダー栓と、
を備えたことを特徴とする排水管洗浄システム。
【請求項６】
請求項１乃至５に記載の排水管洗浄システムにおいて、
高圧水を供給する高圧水ポンプと、
高圧空気を供給する高圧空気ポンプと、
前記高圧水ポンプから供給された高圧水と前記高圧空気ポンプから供給された高圧空気とを切り替える噴射切替器と、
前記噴射切替器から供給された高圧水または高圧空気を供給するホースと、
前記ホースに接続された高圧噴射ノズルと、前記高圧噴射ノズルの後面に設けられ高圧水または高圧空気を噴射する高圧噴射口と、
を有する洗浄器具を備えたことを特徴とする排水管洗浄システム。
【請求項７】
建物内を縦に配管された排水縦本管と、各階ごとに横に配管された排水横主管と、前記排水横主管から分岐され宅内に配管された排水横枝管と、宅外に設置された導管ヘッダーと、前記導管ヘッダーから前記排水横枝管に配管された第１のノズル導管と、各階ごとに前記導管ヘッダーから前記排水縦本管に配管された戻りワイヤ収納管と、前記導管ヘッダーから、前記第１のノズル導管、前記排水横枝管、前記排水横主管、前記排水縦本管、および前記戻りワイヤ収納管を介し、前記導管ヘッダーへと貫通された第１のループ状のワイヤと、
を備えた排水管洗浄システムを用いた排水管洗浄方法において、
噴射ノズルを前記第１のループ状のワイヤに結合させ、前記第１のループ状のワイヤに従って前記導管ヘッダーから第１のノズル導管を介して、前記排水横枝管、前記排水横主管の内部に前記噴射ノズルを挿入させ、排水管の洗浄最終箇所に達した時点で前記噴射ノズルから高圧水を噴射させ、前記噴射ノズルを引き戻し、前記第１のノズル導管と前記排水横枝管とを接続する接続部材である特殊継ぎ手に達したら噴射切替器を切り替え、高圧空気を噴射させ、前記噴射ノズルを前記導管ヘッダーまで引き戻し、前記第１のノズル導管内に残留する洗浄排水を取り除き、前記排水横枝管、前記排水横主管の内部を洗浄することを特徴とする排水管洗浄方法。
【請求項８】
請求項７に記載の排水管洗浄方法において、
さらに、前記排水管洗浄システムは、各階ごとに前記導管ヘッダーから前記排水縦本管に配管された第２のノズル導管と、
前記導管ヘッダーから、前記第２のノズル導管、排水縦本管、階下の戻りワイヤ収納管を介し、前記導管ヘッダーへと貫通された第２のループ状のワイヤとを備え、
噴射ノズルを前記第２のループ状のワイヤに結合させ、前記第２のループ状のワイヤに従って前記導管ヘッダーから第２のノズル導管を介して前記排水縦本管の内部に前記噴射ノズルを挿入させ、排水管の洗浄最終箇所に達した時点で前記噴射ノズルから高圧水を噴射させ、前記噴射ノズルを引き戻し、前記排水縦本管と前記第２のノズル導管の接続部分に達したら噴射切替器を切り替え、高圧空気を噴射させ、前記噴射ノズルを前記導管ヘッダーまで引き戻し、前記第２のノズル導管内に残留する洗浄排水を取り除き、前記排水縦本管の内部を洗浄することを特徴とする排水管洗浄方法。
【発明の詳細な説明】
【技術分野】
【０００１】
本発明は、マンション等の高層集合住宅における排水管洗浄作業において、作業員が住人の宅内に入ることなく、安全かつ効率的に宅外から排水管の洗浄を可能にするための排水管洗浄システムおよび排水管洗浄方法に関するものである。
【背景技術】
【０００２】
マンション等の高層集合住宅における住人の生活排水は、各世帯の排水口から排水管を通って地下の下水道へと流されている。一般的に、建物に配管された排水管は、作業員が各排水口から洗浄器具を用いて洗浄している。
【０００３】
また、排水管の洗浄作業は、定期的に、各世帯ごとに行われている。現在の排水管の洗浄作業は、宅内に入って洗浄作業をする必要があり、住人の入室許可と住人の立会いが必要である。そのため、作業員は、排水管洗浄の度に、住人の入室許可を得て宅内に入り、住人の立会いのもとに排水管の洗浄作業を行っている。
【０００４】
以下、具体的に、従来のマンション等の高層集合住宅の排水管の洗浄作業を説明する
図８は従来の実施例に係る各階の排水管設置図である。図８において、洗面器１ａは、洗面器排水口２ａに接続され、洗面器排水口２ａは洗面器排水横枝管３ａに接続され、洗面器排水横枝管３ａは、分岐点１０ａで排水横主管４に接続される。従って、洗面器１ａからの排水は、洗面器排水口２ａ、洗面器排水横枝管３ａ、分岐点１０ａを介して排水横主管４へ流れ込む。
【０００５】
台所流し台１ｂは、台所流し台排水口２ｂに接続され、台所流し台排水口２ｂは台所流し台排水横枝管３ｂに接続され、台所流し台排水横枝管３ｂは、分岐点１０ｂで排水横主管４に接続される。従って、台所流し台１ｂからの排水は、台所流し台排水口２ｂ、台所流し台排水横枝管３ｂ、分岐点１０ｂを介して、排水横主管４へ流れ込み、分岐点１０ｂで洗面器１ａからの排水と合流する。
【０００６】
ユニットバス１ｃは、ユニットバス排水口２ｃに接続され、ユニットバス排水口２ｃはユニットバス排水横枝管３ｃ接続され、ユニットバス排水横枝管３ｃは、分岐点１０ｃで排水横主管４に接続される。従って、ユニットバス１ｃからの排水は、ユニットバス排水口２ｃ、ユニットバス排水横枝管３ｃ、分岐点１０ｃを介して排水横主管４へ流れ込み、分岐点１０ｃで洗面器１ａからの排水、台所流し台１ｂからの排水と合流する。
【０００７】
洗濯機パン１ｄは、洗濯機パン排水口２ｄに接続され、洗濯機パン排水口２ｄは、洗濯機パン排水横枝管３ｄに接続され、洗濯機パン排水横枝管３ｄは、分岐点１０ｄで排水横主管４に接続される。従って、洗濯機パン１ｄからの排水は、洗濯機パン排水口２ｄ、洗濯機パン排水横枝管３ｄ、分岐点１０ｄを介して、排水横主管４へ流れ込み、分岐点１０ｄで洗面器１ａからの排水、台所流し台１ｂからの排水、ユニットバス１ｃからの排水と合流する。
【０００８】
排水横主管４は、分岐点１０ｅで排水縦本管５に接続されている。洗面器１ａからの排水、台所流し台１ｂからの排水、ユニットバス１ｃからの排水、洗濯機パン排水横枝管３ｄからの排水は、排水横主管４で合流し、排水縦本管５に流れ込む。排水縦本管５は、建物内を縦に配管されており、排水を下水道管に導くためのものである。
【０００９】
図９は、従来の実施例に係るマンション等の高層集合住宅の建物内の排水管システムを説明する図である。集合管２００は、排水縦本管５と下水道２０１とを接続するための排水管であり、排水縦本管５からの排水を下水道２０１に導く機能を有する。排水縦主管５は、上部と下部がそれぞれ建物内を縦に配管された通気管９０１、９０２に接続されている。通気管９０１，９０２は、建物内の最上部で通気口９００に接続されている。通気口９００は、建物内に配管された排水縦本管５および集合管２００に生じる空気の通気を行っている。すなわち、この通気口９００がない場合には、排水が排水縦主管５から集合管２００を介して下水道２０１に流れ落ちるときに、排水縦主管５の中が真空状態になり、排水が自然落下をしない弊害が生じる。通気口９００は、このような弊害を排除するために設けられている。
【００１０】
図１０は、従来の排水管洗浄システムにおける排水洗浄方法を説明する図である。作業員は、図８に示すように、洗面器１ａに配管された洗面器排水横枝管３ａの洗浄作業をするため、洗浄器具８００に設けられた噴射ノズル８０１を洗面器排水口２ａから挿入させ、洗面器排水横枝管３ａ、分岐点１０ａを介し排水横主管４に導き、噴射ノズル８０１が分岐点１０ｂまで到達したときに、噴射ノズル８０１から高圧水を噴射させ、噴射ノズル８０１を引き戻しながら、分岐点１０ｂと分岐点１０ａ間の排水横主管４および洗面器排水横枝管３ａを洗浄する。
【００１１】
噴射ノズル８０１を台所流し台排水口２ｂから挿入させ、台所流し台排水横枝管３ｂ、分岐点１０ｂを介し排水横主管４に導き、噴射ノズル８０１が分岐点１０ｃまで到達したときに、噴射ノズル８０１から高圧水を噴射させ、洗浄ノズル８０１を引き戻しながら、分岐点１０ｃと分岐点１０ｂ間の排水横主管４および台所流し台排水横枝管３ｂを洗浄する。
【００１２】
噴射ノズル８０１をユニットバス排水口２ｃから挿入させ、ユニットバス排水横枝管３ｃ、分岐点１０ｃを介し排水横主管４に導き、噴射ノズル８０１が分岐点１０ｄまで到達したときに、噴射ノズル８０１から高圧水を噴射させ、噴射ノズル８０１を引き戻しながら、分岐点１０ｄと分岐点１０ｃ間の排水横主管４およびユニットバス排水横枝管３ｃを洗浄する。
【００１３】
噴射ノズル８０１を洗濯機パン排水口２ｄから挿入させ、洗濯機パン排水横枝管３ｄ、分岐点１０ｄを介し排水横主管４に導き、さらに、噴射ノズル８０１が排水縦本管５の分岐点１０ｅを介して１０ｆまで到達したときに、噴射ノズル８０１から高圧水を噴射させ、噴射ノズル８０１を引き戻しながら、分岐点１０ｆと分岐点１０ｅ間の排水縦本管５と、分岐点１０ｅと分岐点１０ｄ間の排水横主管４と、洗濯機パン排水横枝管３ｄとを洗浄する。
【００１４】
このようにして、作業員は、順次、排水管の洗浄作業を行う。
【００１５】
図１１は従来の実施例における洗浄方法に使用される洗浄器具の構成を示した図である。洗浄器具８００は、給水ホース８２３を通して水が給水される給水ポンプ８２０と、給水ポンプ８２０に接続された高圧ホース８１３と、高圧ホース８１３に接続された給水栓８１０と、給水栓８１０に設けられた栓を開閉するレバー８１１と、給水栓８１０に接続された高圧洗浄ホース８０３と、高圧洗浄ホース８０３に接続された噴射ノズル８０１と、噴射ノズル８０１の後面に設けられた噴射口８０２と、から構成される。
【００１６】
給水ポンプ８２０は、図示しない給水タンクなどから給水ホース８２３を通して水が供給され、高圧ホース８１３を通して給水栓８１０へ高圧水を供給している。給水栓８１０は、栓を開閉することにより、高圧洗浄ホース８０３へ供給される高圧水のオンオフを行う。例えば、レバー８１１を矢印開の方に回すと、高圧洗浄ホース８０３と高圧ホース８１３が接続され、高圧洗浄ホース８０３に高圧水を供給する。噴射ノズル８０１には、高圧洗浄ホース８１３を通して高圧水が供給され、その高圧水を噴射口８０２から後方に噴射する。噴射口８０２は、高圧水を噴射することにより、排水管を洗浄する。また、レバー８１１を矢印閉の方に回すと、高圧ホース８１３から高圧洗浄ホース８０３に供給される高圧水の供給が停止され、噴射口８０２からの高圧水の噴射が停止する。
【００１７】
排水管洗浄システムを用いた排水管洗浄方法に関するものとしては、例えば、特許文献１〜特許文献３に示されるように、各種のものが提案されている。
【特許文献１】特開２００４−１１６１３７
【特許文献２】特開平０７−２１６９７６
【特許文献３】特開平１１−２１００７５
【発明の開示】
【発明が解決しようとする課題】
【００１８】
しかしながら、従来の実施例の排水管洗浄方法では、以下のように様々な問題があった。
【００１９】
第１の問題は、図８で説明したように、作業員は、排水管の洗浄作業を宅内の各排水口から行わなければならない。そのため、作業員は、排水管の洗浄作業の度に、各世帯ごとの住人の入室許可を得て宅内に入り、住人の立会いのもとに排水管の洗浄作業を行うことになる。従って、排水管の洗浄作業の際には、住人のプライバシーが十分に保てないという問題がある。さらに、住人が不在の場合などは、作業員が宅内に入れずに洗浄作業を行えない。住人も排水管洗浄作業の日時に合わせて家に待機しなければならないために、洗浄作業が時間的に制限されるという欠点があった。
【００２０】
第２の問題は、図９で説明したように、建物内に配管された排水縦本管５および集合管２００の通気のために、通気口９００、通気管９０１、通気管９０２が必要という点である。通常、通気管９０１、通気管９０２を建物内に施工することは、負担が大きい。
【００２１】
第３の問題は、図１０で説明したように、洗面器排水口２ａ、台所流し台排水口２ｂ、ユニットバス排水口２ｃ、洗濯機パン排水口２ｄから噴射ノズル８０１を挿入させて排水管の洗浄作業をするため、作業員は、洗面器排水口２ａから、順次、台所流し台排水口２ｂ、ユニットバス排水口２ｃ、洗濯機パン排水口２ｄへと宅内の各箇所を移動する必要がある。また、従来の排水管洗浄作業においては、排水口から噴射ノズル８０１を挿入させて行うが、作業員は、噴射ノズル８０１がどのような経路を通って進んでいるかの目視確認ができないという問題があった。例えば、噴射ノズル８０１が洗面器排水口２ａから挿入され、洗面器排水横枝管３ａ、排水横主管４、および台所流し台排水横枝管３ｂへ挿入され、台所流し台排水口２ｂから突出し、台所流し台排水口２ｂから高圧水が噴出し、部屋が水浸しになる等の問題点である。このように、作業員は、必ずしも意図した洗浄ルートに沿って噴射ノズル８０１を挿入できなかったので、噴射ノズル８０１が挿入された排水口とは別の排水口から高圧水が噴出する事故が避けられない状況にあった。
【課題を解決するための手段】
【００２２】
第１の発明は、建物内を縦に配管された排水縦本管と、前記排水縦本管に接続され各階ごとに横に配管された排水横主管と、前記排水横主管から分岐され宅内に配管された排水横枝管とを備えた排水管洗浄システムにおいて、宅外に設置された導管ヘッダーと、前記導管ヘッダーから宅内の前記排水横枝管に配管された第１のノズル導管と、各階ごとに前記導管ヘッダーから前記排水縦本管に配管された戻りワイヤ収納管と、前記導管ヘッダーから、前記第１のノズル導管、前記排水横枝管、前記排水横主管、前記排水縦本管、および前記戻りワイヤ収納管を介し、前記導管ヘッダーへと貫通された第１のループ状のワイヤと、を備えたことを特徴とする。
【００２３】
第２の発明は、第１の発明に記載の排水管洗浄システムにおいて、さらに、各階ごとに前記導管ヘッダーから前記排水縦本管に配管された第２のノズル導管と、前記導管ヘッダーから、前記第２のノズル導管、排水縦本管、階下の戻りワイヤ収納管を介し、前記導管ヘッダーへと貫通された第２のループ状のワイヤとを備えたことを特徴とする。
【００２４】
第３の発明は、第１乃至２の発明に記載の排水管洗浄システムにおいて、さらに、前記第１のノズル導管と前記排水横枝管とを接続する接続部材である特殊継ぎ手を備えたことを特徴とする。
【００２５】
第４の発明は、第１乃至３の発明に記載の排水管洗浄システムにおいて、前記戻りワイヤ収納管は、戻りワイヤ横収納管、戻りワイヤ縦収納管およびヘッダー戻りワイヤ収納管から構成されることを特徴とする。
【００２６】
第５の発明は、第１乃至４の発明に記載の排水管洗浄システムにおいて、さらに、前記導管ヘッダーの上部に設けられた第１のヘッダー給気管と、前記第１のヘッダー給気管に設けられた第１のヘッダー栓と、前記導管ヘッダーの下部に設けられた第２のヘッダー給気管と、前記第２のヘッダー給気管に設けられた第２のヘッダー栓と、を備えたことを特徴とする。
【００２７】
第６の発明は、第１乃至５の発明に記載の排水管洗浄システムにおいて、高圧水を供給する高圧水ポンプと、高圧空気を供給する高圧空気ポンプと、前記高圧水ポンプから供給された高圧水と前記高圧空気ポンプから供給された高圧空気とを切り替える噴射切替器と、前記噴射切替器から供給された高圧水または高圧空気を供給するホースと、前記ホースに接続された高圧噴射ノズルと、前記高圧噴射ノズルの後面に設けられ高圧水または高圧空気を噴射する高圧噴射口と、を有する洗浄器具を備えたことを特徴とする。
【００２８】
第７の発明は、建物内を縦に配管された排水縦本管と、各階ごとに横に配管された排水横主管と、前記排水横主管から分岐され宅内に配管された排水横枝管と、宅外に設置された導管ヘッダーと、前記導管ヘッダーから前記排水横枝管に配管された第１のノズル導管と、各階ごとに前記導管ヘッダーから前記排水縦本管に配管された戻りワイヤ収納管と、前記導管ヘッダーから、前記第１のノズル導管、前記排水横枝管、前記排水横主管、前記排水縦本管、および前記戻りワイヤ収納管を介し、前記導管ヘッダーへと貫通された第１のループ状のワイヤと、を備えた排水管洗浄システムを用いた排水管洗浄方法において、噴射ノズルを前記第１のループ状のワイヤに結合させ、前記第１のループ状のワイヤに従って前記導管ヘッダーから第１のノズル導管を介して、前記排水横枝管、前記排水横主管の内部に前記噴射ノズルを挿入させ、排水管の洗浄最終箇所に達した時点で前記噴射ノズルから高圧水を噴射させ、前記噴射ノズルを引き戻し、前記第１のノズル導管と前記排水横枝管とを接続する接続部材である特殊継ぎ手に達したら噴射切替器を切り替え、高圧空気を噴射させ、前記噴射ノズルを前記導管ヘッダーまで引き戻し、前記第１のノズル導管内に残留する洗浄排水を取り除き、前記排水横枝管、前記排水横主管の内部を洗浄することを特徴とする。
【００２９】
第８の発明は、第７の発明に記載の排水管洗浄方法において、さらに、前記排水管洗浄システムは、各階ごとに前記導管ヘッダーから前記排水縦本管に配管された第２のノズル導管と、前記導管ヘッダーから、前記第２のノズル導管、排水縦本管、階下の戻りワイヤ収納管を介し、前記導管ヘッダーへと貫通された第２のループ状のワイヤとを備え、噴射ノズルを前記第２のループ状のワイヤに結合させ、前記第２のループ状のワイヤに従って前記導管ヘッダーから第２のノズル導管を介して前記排水縦本管の内部に前記噴射ノズルを挿入させ、排水管の洗浄最終箇所に達した時点で前記噴射ノズルから高圧水を噴射させ、前記噴射ノズルを引き戻し、前記排水縦本管と前記第２のノズル導管の接続部分に達したら噴射切替器を切り替え、高圧空気を噴射させ、前記噴射ノズルを前記導管ヘッダーまで引き戻し、前記第２のノズル導管内に残留する洗浄排水を取り除き、前記排水縦本管の内部を洗浄することを特徴とする。
【発明の効果】
【００３０】
第１の発明によると、宅外に導管ヘッダーが設置され、その導管ヘッダーから第１のループ状のワイヤが設けられているので、作業員は、洗浄ルートを誤ることなく、第１のループ状のワイヤに従って噴射ノズルを排水横枝管、排水横主管へ挿入させることができ、排水横枝管、排水横主管の洗浄作業を宅外から行うことができる。
【００３１】
第２の発明によると、宅外に導管ヘッダーが設置され、その導管ヘッダーから第２のループ状のワイヤが設けられているので、作業員は、洗浄ルートを誤ることなく、第２のループ状のワイヤに従って噴射ノズルを排水縦本管へ挿入させることができ、排水縦本管の洗浄作業を宅外から行うことができる。
【００３２】
第３の発明によると、第１のノズル導管と排水横枝管を接続する特殊継ぎ手を備えたので、排水横枝管の排水を第１のノズル導管へ逆流させることなく、排水横枝管の通気ができる。
【００３３】
第４の発明によると、排水縦本管から導管ヘッダーへ戻す戻りワイヤ収納管を設けたので、第１のワイヤを、導管ヘッダーから、第１のノズル導管、排水横枝管、排水横主管、排水縦本管、戻りワイヤ収納管を介し、導管ヘッダーへと貫通させ、ループ状にすることができ、第２のワイヤを、導管ヘッダーから、第２のノズル導管、排水縦本管、階下の戻りワイヤ収納管を介し、導管ヘッダーへと貫通させ、ループ状にすることができる。また、第１のワイヤ、第２のワイヤはループ状に形成されているので、噴射ノズルをワイヤに結合させ、ワイヤを可動させることにより、噴射ノズルを挿入させたり、引き戻したりできる。
【００３４】
第５の発明によると、導管ヘッダーの内部が、導管ヘッダーの外部より正圧になる場合に、第１のヘッダー栓が上に可動して、第１のヘッダー給気管から外気を取り入れる。また、導管ヘッダーの内部が、導管ヘッダーの外部より負圧になる場合に、第２のヘッダー栓が上に可動して、第２のヘッダー給気管から外気を取り入れる。導管ヘッダーは第１のノズル導管を介して排水横主管に接続されているので、排水横主管は、第１のヘッダー栓または第２のヘッダー栓を用いて、第１のヘッダー給気管または第２のヘッダー給気管から、常に外気を取り入れることができる。これにより、排水横主管の内部が、外気より正圧または負圧になった場合に、排水横主管に接続された排水口に設けられたトラップの封水がきれることがなく、排水管の悪臭が排水口から部屋の中へ漏れることを防止できる。
【００３５】
第６の発明によると、高圧水ポンプおよび高圧空気ポンプを設けたので、排水管の洗浄作業において、高圧水を噴射させて排水横枝管、排水横主管、排水縦本管の洗浄ができる。また、高圧空気を噴射させ、第１のノズル導管、第２のノズル導管に残留した洗浄排水を吹き飛ばすことができる。これにより、高圧噴射ノズルを第１のノズル導管または第２のノズル導管から導管ヘッダーまで引き戻し、第１のノズル導管または第２のノズル導管に残留した洗浄排水を取り除くことができる。
【００３６】
第７の発明によると、OLE_LINK2作業員は、洗面器高圧噴射ノズル挿入口から、台所流し台高圧噴射ノズル挿入口、ユニットバス高圧噴射ノズル挿入口、洗濯機パン高圧噴射ノズル挿入口へと、順次、高圧噴射ノズルを挿入させ、OLE_LINK2排水横枝管、排水横主管の洗浄作業を効率的に行うことができる。また、導管ヘッダーに設けられた第１のループ状のワイヤに噴射ノズルを結合し、第１のループ状のワイヤに従って高圧噴射ノズルを挿入させることができる。従って、噴射ノズル８０１が挿入された排水口とは別の排水口から高圧水が噴出することがなく、安全かつ効率的に排水横枝管、排水横主管の洗浄作業を行うことができる。
【００３７】
第８の発明によると、作業員は、高圧噴射ノズル挿入口から高圧噴射ノズルを挿入させ、排水縦本管の洗浄作業ができる。また、導管ヘッダーに設けられた第２のループ状のワイヤに噴射ノズルを結合し、第２のループ状のワイヤに従って高圧噴射ノズルを挿入させることができるので、安全かつ効率的に排水縦本管の洗浄作業を行うことができる。
【発明を実施するための最良の形態】
【００３８】
以下、本発明の一実施の形態について図面を参照しながら説明する。上述した符号及び名称と同一のものは、同一の符号及び名称を付し、その説明を省略する。
【００３９】
図１は本発明の一実施例に係る排水管洗浄システムを示す図である。図１においては、洗面器１ａは、台所流し台１ｂ、ユニットバス１ｃ、洗濯機パン１ｄを有し、洗面器１ａは、洗面器排水口２ａに接続され、台所流し台１ｂは、台所流し台排水口２ｂに接続され、ユニットバス１ｃは、ユニットバス排水口２ｃに接続され、洗濯機パン１ｄは、洗濯機パン排水口２ｄに接続される点は図８に示した従来の排水管洗浄システムと同様である。
【００４０】
図１においては、図８に示される排水管洗浄システムと異なり、宅外に設置される導管ヘッダー３００を有し、この導管ヘッダー３００から、洗面器ノズル導管６ａを介し洗面器排水横枝管３ａに接続され、台所流し台ノズル導管６ｂを介し台所流し台排水横枝管３ｂに接続され、ユニットバスノズル導管６ｃを介しユニットバス排水横枝管３ｃに接続され、洗濯機パンノズル導管６ｄを介し洗濯機パン排水横枝管３ｄに接続される。また、排水縦本管ノズル導管６ｅは、導管ヘッダー３００から排水縦本管５に直接接続されている。
【００４１】
このように、導管ヘッダー３００を宅外に設けることにより、作業員は、宅外より排水管の洗浄作業を行うことができる。宅外に設置された導管ヘッダー３００から、洗面器ノズル導管６ａ、台所流し台ノズル導管６ｂ、ユニットバスノズル導管６ｃ、洗濯機パンノズル導管６ｄ、排水縦本管ノズル導管６ｅを介して、噴射ノズル８０１を挿入させ、排水管の洗浄作業を行うので、宅内の洗面器排水口２ａ、台所流し台排水口２ｂ、ユニットバス排水口２ｃ、洗濯機パン排水口２ｄから排水管の洗浄作業を行う必要がなくなる。そのため、作業員は、洗浄作業の度に、各世帯ごとの住人の入室許可を得て宅内に入ることも無くなり、住人の立会いのもとに洗浄作業を行う必要も無くなる。これにより、洗浄作業の際に、住人のプライバシーが十分に保てないという問題も解決する。さらに、住人が不在の場合でも、宅外より排水管の洗浄作業ができ、また、住民が不在のために作業員が宅内に入れず洗浄作業を行えないという状況も生じない。また、住人にとっても、洗浄作業の日時に合わせて家に待機する必要もなくなり、洗浄作業に立会う必要も無くなる。したがって、作業員および住人の双方にとって有益であり、作業員は効率的に排水管の洗浄作業を行うことができる。
【００４２】
図２は、本発明の一実施例に係るマンション等の高層集合住宅の排水管洗浄システムを略示的に示した図である。例えば、戻りワイヤ縦収納管２７は、建物内の２階部分を縦に配管されており、３階に設けられた戻りワイヤ収納管３７に接続されている。３階に設けられた戻りワイヤ収納管３７は、導管ヘッダー３００へ分岐される３階部分のヘッダー戻りワイヤ収納管３８と、建物内の４階部分に縦に配管されている戻りワイヤ収納管４７に接続されている。戻りワイヤ縦収納管４７は、４階に設けられたヘッダー戻りワイヤ収納管４８と５階部分に縦に配管されている戻りワイヤ収納管５７に接続されている。２階に設けられた戻りワイヤ横収納管２０は、排水縦本管５から２階に設けられた戻りワイヤ縦収納管２７へ配管されている。３階に設けられた戻りワイヤ横収納管３０は、排水縦本管５から３階に設けられた戻りワイヤ縦収納管３７へ配管されている。排水縦本管ノズル導管６ｅは、戻りワイヤ横収納管３０とは別の管として示しているが、戻りワイヤ横収納管３０は、排水縦本管ノズル導管６ｅを共用することもできる。図２では、図１で示した、洗面器ノズル導管６ａ、台所流し台ノズル導管６ｂ、ユニットバスノズル導管６ｃ、洗濯機パンノズル導管６ｄ、洗面器排水横枝管３ａ、台所流し台排水横枝管３ｂ、ユニットバス排水横枝管３ｃ、洗濯機パン排水横枝管３ｄをまとめて略示的に示している。
【００４３】
建物内に配管された排水管の通気は、導管ヘッダー３００に設けられたヘッダー栓６４、ヘッダー栓６５を用いて行っている。集合排水管２００は、排水縦本管５に接続され、排水縦本管５は、図２に示すように、各管を介して、導管ヘッダー３００に接続されている。このため、導管ヘッダー３００に設けられたヘッダー栓６４、ヘッダー栓６５を用いて、洗面器排水横枝管３ａ、台所流し台排水横枝管３ｂ、ユニットバス排水横枝管３ｃ、洗濯機パン排水横枝管３ｄ、排水横主管４、排水縦本管５および集合排水管２００の通気を行うことができる。これにより、従来、建物内の排水管の通気のために設けていた、通気口９００、通気管９０１、通気管９０２が不要になり、通気管の施工の負担が小さくなるという利点がある。
【００４４】
図３は本発明の一実施例に係る排水管システムを用いた排水管洗浄方法を説明する図である。洗面器高圧噴射ノズル挿入口７ａは、導管ヘッダー３００の上部に設けられている。台所流し台高圧噴射ノズル挿入口７ｂは、導管ヘッダー３００の上部の洗面器高圧噴射ノズル挿入口７ａに隣接して設けられている。ユニットバス高圧噴射ノズル挿入口７ｃは、導管ヘッダー３００の上部の台所流し台高圧噴射ノズル具挿入口７ｂに隣接して設けられている。洗濯機パン高圧噴射ノズル挿入口７ｄは、導管ヘッダー３００の上部のユニットバス高圧噴射ノズル挿入口７ｃに隣接して設けられている。
【００４５】
図４（ａ）は本発明の一実施例に係る排水横枝管の端部に取り付けられた特殊継ぎ手とノズル導管を示す斜視図、図４（ｂ）は図４（ａ）の断面図である。特殊継ぎ手４０は、排水横枝管３とノズル導管６を接続する接続部材であり、排水横枝管３の端部に設けられている。特殊継ぎ手４０は、嵌合部４０ａでノズル導管６に接続されている。嵌合部４０ａは、図４（ｂ）に示すように、特殊継ぎ手４０の中心より上方に設けられている。このため、排水４１の上面４２がノズル導管６より下面に来るので、排水横枝管３の内部排水がノズル導管６に逆流することなく排水横枝管３の通気を行えるという利点がある。
【００４６】
図５は本発明の一実施例に係る排水管洗浄システムにおいて使用される高圧洗浄器具の構成を示した図である。高圧洗浄器具５００は、図示されない給水タンクなどから水を供給する給水ホース５２３と、給水ホース５２３に接続された高圧水ポンプ５２０と、高圧水ポンプ５２０に接続された高圧水ホース５１３と、図示されない給気タンクなどから空気を供給する給気ホース５４３と、給気ホース５４３に接続された高圧空気ポンプ５４０と、高圧空気ポンプ５４０に接続された高圧空気ホース５３３と、高圧水ホース５１３と高圧空気ホース５３３に接続された噴射切替器５１０と、噴射切替器５１０に接続された高圧洗浄水ホース５０３と、高圧洗浄水ホース５０３に接続された高圧噴射ノズル５０１と、高圧噴射ノズル５０１の後面に設けられた高圧噴射口５０２と、から構成されている。
【００４７】
高圧水ポンプ５２０は、図示されない給水タンクなどから給水ホース５２３を通して供給された水を高圧水にする。この高圧水は、高圧ホース５１３を通して噴射切替器５１０へ供給される。高圧空気ポンプ５４０は、図示されない給気タンクなどから給気ホース５４３を通して供給された空気を高圧空気にする。この高圧空気は、高圧空気ホース５３３を通して噴射切替器５１０へ供給される。噴射切替器５１０は、高圧水と高圧空気の切り替え弁が設けられ、例えば、矢印レバーを高圧水の方に切り替えると、高圧洗浄ホース５０３と高圧水ホース５１３が接続され、高圧水が高圧洗浄ホース５０３へ供給される。矢印レバーを高圧空気の方に切り替えると、高圧洗浄ホース５０３と高圧空気ホース５３３が接続され、高圧空気が高圧洗浄ホース５０３へ供給される。
【００４８】
高圧噴射ノズル５０１は、高圧洗浄ホース５０３に接続され、高圧洗浄ホース５０３から導かれた高圧水または高圧空気が供給される。高圧噴出口５０２は、噴射切替器の切り替えに応じて、高圧水または高圧空気を噴射する。排水管の洗浄作業において、高圧洗浄器具５００を用いると、洗浄に使用した洗浄排水を吹き飛ばすことができる。高圧噴射ノズル５０１を、洗面器ノズル導管６ａから導管ヘッダー３００に引き戻し、洗面器ノズル導管６ａに残留した洗浄排水を取り除くことができる。同様に、高圧噴射ノズル５０１を、台所流し台ノズル導管６ｂから導管ヘッダー３００に引き戻し、台所流し台ノズル導管６ｂに残留した洗浄排水を取り除くことができる。また、高圧噴射ノズル５０１を、ユニットバスノズル導管６ｃから導管ヘッダー３００に引き戻し、ユニットバスノズル導管６ｃに残留した洗浄排水を取り除くことができる。また、高圧噴射ノズル５０１を、洗濯機パンノズル導管６ｄから導管ヘッダー３００に引き戻し、洗濯機パンノズル導管６ｄに残留した洗浄排水を取り除くことができる。また、高圧噴射ノズル５０１を、排水縦本管ノズル導管６ｅから導管ヘッダー３００に引き戻し、排水縦本管ノズル導管６ｅに残留した洗浄排水を取り除くことができる。このように、排水管の洗浄後に、排水管の内部に洗浄排水が残留することがないので、建物内に配管された排水管の通気ができるという利点がある。
【００４９】
図６（ａ）は本発明の一実施例に係る導管ヘッダーの構造を示した外観斜視図である。導管ヘッダー３００は、例えば、円筒状をしており、ヘッダー戻りワイヤ収納管３８を介して戻りワイヤ縦収納管３７に接続される。導管ヘッダー３００の側面上部には、ワイヤ出口管３３と、洗面器高圧噴射ノズル挿入口７ａと、台所流し台高圧噴射ノズル挿入口７ｂと、ユニットバス高圧噴射ノズル挿入口７ｃと、洗濯機パン高圧噴射ノズル挿入口７ｄと、排水縦本管高圧噴射ノズル挿入口７ｅが隣接して設けられる。
【００５０】
導管ヘッダー３００の側面下部には、洗面器ノズル導管６ａと、台所流し台ノズル導管６ｂと、ユニットバスノズル導管６ｃと、洗濯機パンノズル導管６ｄと、排水縦本管ノズル導管６ｅとが隣接して設けられている。洗面器高圧噴射ノズル挿入口７ａは、洗面器ノズル導管６ａと同じ軸上に配置されている。台所流し台高圧噴射ノズル挿入口７ｂは、台所流し台ノズル導管６ｂと同じ軸上に配置されている。ユニットバス高圧噴射ノズル挿入口７ｃは、ユニットバスノズル導管６ｃと同じ軸上に配置されている。洗濯機パン高圧噴射ノズル挿入口７ｄは、洗濯機パンノズル導管６ｄと同じ軸上に配置されている。排水縦本管高圧噴射ノズル挿入口７ｅは、排水縦本管ノズル導管６ｅと同じ軸上に配置されている。
【００５１】
導管ヘッダー３００の上部の洗面器高圧噴射ノズル挿入口７ａ、台所流し台高圧噴射ノズル挿入口７ｂ、ユニットバス高圧噴射ノズル挿入口７ｃ、洗濯機パン高圧噴射ノズル挿入口７ｄ、および排水縦本管高圧噴射ノズル挿入口７ｅからは、それぞれに対応する洗面器ワイヤ８ａ、台所流し台ワイヤ８ｂ、ユニットバスワイヤ８ｃ、洗濯機パンワイヤ８ｄ、および縦本管ワイヤ８ｅが挿入されている。
【００５２】
洗面器ワイヤ８ａは、洗面器高圧噴射ノズル挿入口７ａから挿入され、導管ヘッダー３００を貫通し、洗面器ノズル導管６ａ、洗面器排水横枝管３ａ、排水横主管４、排水縦本管５、戻りワイヤ収納管３０、戻りワイヤ縦収納管３７、ヘッダー戻りワイヤ収納管３８、導管ヘッダー３００、およびワイヤ出口管３３を介してから洗面器高圧噴射ノズル挿入口７ａへ戻るループを形成する。
【００５３】
台所流し台ワイヤ８ｂは、台所流し台高圧噴射ノズル挿入口７ｂから挿入され、導管ヘッダー３００を貫通し、台所流し台ノズル導管６ｂ、台所流し台排水横枝管３ｂ、排水横主管４、排水縦本管５、戻りワイヤ横収納管３０、戻りワイヤ縦収納管３７、ヘッダー戻りワイヤ収納管３８、導管ヘッダー３００およびワイヤ出口管３３を介して台所流し台高圧噴射ノズル挿入口７ｂへ戻るループを形成する。
【００５４】
ユニットバスワイヤ８ｃは、ユニットバス高圧噴射ノズル挿入口７ｃから挿入され、導管ヘッダー３００を貫通し、ユニットバスノズル導管６ｃ、ユニットバス排水横枝管３ｃ、排水横主管４、排水縦本管５、戻りワイヤ横収納管３０、戻りワイヤ縦収納管３７、ヘッダー戻りワイヤ収納管３８、導管ヘッダー３００およびワイヤ出口管３３を介してユニットバス高圧噴射ノズル挿入口７ｃへ戻るループを形成する。
【００５５】
洗濯機パンワイヤ８ｄは、洗濯機パン高圧噴射ノズル挿入口７ｄから挿入され、導管ヘッダー３００を貫通し、洗濯機パンノズル導管６ｄ、洗濯機パン排水横枝管３ｄ、排水横主管４、排水縦本管５、戻りワイヤ横収納管３０、３階の戻りワイヤ縦収納管３７、ヘッダー戻りワイヤ収納管３８、導管ヘッダー３００およびワイヤ出口管３３を介して洗濯機パン高圧噴射ノズル挿入口７ｄへ戻るループを形成する。
【００５６】
縦本管ワイヤ８ｅは、排水縦本管高圧噴射ノズル挿入口７ｅから挿入され、導管ヘッダー３００を貫通し、排水縦本管ノズル導管６ｅ、排水縦本管５、戻りワイヤ横収納管２０、戻りワイヤ縦収納管２７、戻りワイヤ縦収納管３７、ヘッダー戻りワイヤ収納管３８、導管ヘッダー３００およびワイヤ出口管３３を介して排水縦本管高圧噴射ノズル挿入口７ｅへ戻るループを形成する。
【００５７】
洗面器ワイヤ８ａ、台所流し台ワイヤ８ｂ、ユニットバスワイヤ８ｃ、洗濯機パンワイヤ８ｄ、縦本管ワイヤ８ｅは、ロープでもよい。
【００５８】
図６（ｂ）は本発明の一実施例に係る導管ヘッダーの上蓋を開けたときの構造を示す図である。洗面器ノズル導管６ａ、台所流し台ノズル導管６ｂ、ユニットバスノズル導管６ｃ、洗濯機パンノズル導管６ｄ、および排水縦本管ノズル導管６ｅは、導管ヘッダー３００を貫通している。排水管の洗浄作業の時に高圧噴射ノズル５０１を引き戻した際に、洗面器ノズル導管６ａ、台所流し台ノズル導管６ｂ、ユニットバスノズル導管６ｃ、洗濯機パンノズル導管６ｄ、排水縦本管ノズル導管６ｅから逆流した洗浄排水が導管ヘッダー３００の内部に溜まるようになっている。導管ヘッダー３００の内部に溜まった水は、洗浄作業終了後、ヘッダー給気管６０から排水される。
【００５９】
図７（ａ）は本発明の一実施例に係るヘッダーの上部に設けられたヘッダー栓を説明する図である。ヘッダー給気管６６は、導管ヘッダー３００の上部に設けられ、ヘッダー栓６５は、ヘッダー給気管６６に栓をするように設けられている。
【００６０】
ヘッダー栓６５は、上方にのみ可動する。導管ヘッダー３００の内部が外圧に対して正圧になる場合に、導管ヘッダー３００の内圧を外圧と等しくするために、ヘッダー栓６５が上に可動し、ヘッダー給気管６６から外気を取り入れるようになっている。導管ヘッダー３００に接続された、洗面器ノズル導管６ａ、台所流し台ノズル導管６ｂ、ユニットバスノズル導管６ｃ、洗濯機パンノズル導管６ｄは、洗面器排水横枝管３ａ、台所流し台排水横枝管３ｂ、ユニットバス排水横枝管３ｃ、洗濯機パン排水横枝管３ｄに、密閉して接続されている。このため、洗面器排水横枝管３ａ、台所流し台排水横枝管３ｂ、ユニットバス排水横枝管３ｃ、洗濯機パン排水横枝管３ｄは、ヘッダー栓６５を用いて、ヘッダー給気管６６から外気を取り入れることができる。これにより、洗面器排水横枝管３ａ、台所流し台排水横枝管３ｂ、ユニットバス排水横枝管３ｃ、洗濯機パン排水横枝管３ｄが外圧に対して正圧になった場合に、ヘッダー給気管６６から外気を取り入れ、洗面器排水口２ａ、台所流し台排水口２ｂ、ユニットバス排水口２ｃ、洗濯機パン排水口２ｄに設けられたトラップの封水がきれるのを防止し、排水管の悪臭が排水管から部屋の中へ漏れることを防止できる。
【００６１】
図７（ｂ）は本発明の一実施例に係るヘッダーの下部に設けられたヘッダー栓を説明する図である。ヘッダー栓６４は、ヘッダー給気管６０と導管ヘッダー３００の接続口に設けられている。
【００６２】
ヘッダー栓６４は、上方にのみ可動する。これは、大量の排水が、洗面器排水横枝管３ａ、台所流し台排水横枝管３ｂ、ユニットバス排水横枝管３ｃ、洗濯機パン排水横枝管３ｄ、排水横主管４、排水縦本管５、および集合管２００を通って排水されると、建物内に配管された排水管および導管ヘッダー３００は密閉されているため、建物内に配管された排水管および導管ヘッダー３００の内部は外圧に対して負圧になる。導管ヘッダー３００の内圧を外圧と等しくするために、ヘッダー栓６４が上に可動し、ヘッダー給気管６０から外気を取り入れるようになっている。これにより、洗面器排水横枝管３ａ、台所流し台排水横枝管３ｂ、ユニットバス排水横枝管３ｃ、洗濯機パン排水横枝管３ｄが外圧に対して負圧になった場合に、ヘッダー給気管６０から外気を取り入れ、洗面器排水口２ａ、台所流し台排水口２ｂ、ユニットバス排水口２ｃ、洗濯機パン排水口２ｄに設けられたトラップの封水がきれるのを防止し、排水管の悪臭が排水管から部屋の中へ漏れることを防止できる。また、排水管の洗浄作業の際に、作業員は、ヘッダー栓６４をはずし、導管ヘッダー３００に溜まった洗浄排水をヘッダー給気管６０から排出することもできる。
【００６３】
次に、本発明の一実施例に係る排水管洗浄システムを用いて排水管の洗浄をする方法について説明する。
【００６４】
洗面器高圧噴射ノズル挿入口７ａの近くで、高圧洗浄器具５００の先端に設けられた高圧噴射ノズル５０１を洗面器ワイヤ８ａに結合させる。洗面器ワイヤ８ａは、ループを形成しているので、洗面器ワイヤ８ａをワイヤ出口管３３からたぐりよせることにより、高圧噴射ノズル５０１は、洗面器ワイヤ８ａの動きに従って、洗面器高圧噴射ノズル挿入口７ａから、洗面器ノズル導管６ａ、特殊継ぎ手４０、洗面器排水横枝管３ａ、分岐点１０ａを介し、排水横主管４に挿入される。
【００６５】
高圧噴射ノズル５０１が分岐点１０ｂに達したら、噴射切替器５１０を切り替えて、高圧噴射口５０２から高圧水を噴射させ、洗面器ワイヤ８ａを引き寄せることにより高圧噴射ノズル５０１を引き戻す。高圧噴射口５０２から噴出された高圧水によって、分岐点１０ｂと分岐点１０ａ間の排水横主管４と洗面器排水横枝管３ａの内部が洗浄される。高圧噴射ノズル５０１が特殊継ぎ手４０に達したら、噴射切替器５１０を切り替え、高圧噴射口５０２から高圧空気を噴射させる。高圧噴射ノズル５０１は、高圧噴射口５０２から高圧空気を噴射しながら洗面器ノズル導管６ａを通って導管ヘッダー３００まで引き戻される。洗浄排水は、高圧噴射口５０２から噴射される高圧空気によって押し出され、高圧噴射ノズル５０１が導管ヘッダー３００に達すると、導管ヘッダー３００の内部に排出される。
【００６６】
次に、台所ワイヤ高圧洗浄ノズル挿入口７ｂの近くで、高圧噴射ノズル５０１を台所流し台ワイヤ８ｂに結合させる。台所流し台ワイヤ８ｂは、ループを形成しているので、台所流し台ワイヤ８ｂをワイヤ出口管３３からたぐりよせることにより、高圧噴射ノズル５０１は、台所ワイヤ８ｂの動きに従って、台所流し台高圧噴射ノズル挿入口７ｂから台所流し台ノズル導管６ｂ、特殊継ぎ手４０、台所流し台排水横枝管３ｂを介し、排水横主管４に挿入される。
【００６７】
高圧洗浄ノズル５０１が分岐点１０ｃに達したら、噴射切替器５１０を切り替えて、高圧噴射口５０２から高圧水を噴射させ、台所流し台ワイヤ８ｂを引き寄せることにより高圧噴射ノズル５０１を引き戻す。高圧噴射ノズル５０１から噴射された高圧水によって、分岐点１０ｃと分岐点１０ｂ間の排水横主管４と台所流し台排水横枝管３ｂの内部が洗浄される。高圧噴射ノズル５０１が特殊継ぎ手４０に達したら、噴射切替器５１０を切り替え、高圧噴射口５０２から高圧空気を噴射させる。高圧噴射ノズル５０１は、高圧空気を噴射しながら台所流し台ノズル導管６ｂを介し導管ヘッダー３００まで引き戻される。洗浄排水は、高圧噴射口５０２から噴射される高圧空気によって押し出され、高圧噴射ノズル５０１が導管ヘッダー３００に達すると、導管ヘッダー３００の内部に排出される。
【００６８】
次に、ユニットバス高圧洗浄ノズル挿入口７ｃの近くで、高圧噴射ノズル５０１をユニットバスワイヤ８ｃに結合させる。ユニットバスワイヤ８ｃは、ループを形成しているので、ユニットバスワイヤ８ｃをワイヤ出口管３３からたぐりよせることにより、高圧噴射ノズル５０１は、ユニットバスワイヤ８ｃに従って、ユニットバス高圧噴射ノズル挿入口７ｃからユニットバスノズル導管６ｃ、特殊継ぎ手４０、ユニットバス排水横枝管３ｃを介し、排水横主管４に挿入される。
【００６９】
高圧洗浄ノズル５０１が分岐点１０ｄに達したら、噴射切替器５１０を切り替えて、高圧噴射口５０２から高圧水を噴射させ、ユニットバスワイヤ８ｃを引き寄せることにより高圧噴射ノズル５０１を引き戻す。高圧噴射ノズル５０１から噴射された高圧水によって分岐点１０ｄと分岐点１０ｃ間の排水横主管４とユニットバス排水横枝管３ｃの内部が洗浄される。高圧噴射ノズル５０１が特殊継ぎ手４０に達したら、噴射切替器５１０を切り替え、高圧噴射口５０２から高圧空気を噴射させる。高圧噴射ノズル５０１は、高圧空気を噴射しながらユニットバスノズル導管６ｃを介し導管ヘッダー３００まで引き戻される。洗浄排水は、高圧噴射口５０２から噴射される高圧空気によって押し出され、高圧噴射ノズル５０１が導管ヘッダー３００に達すると、導管ヘッダー３００の内部に排出される。
【００７０】
次に、洗濯機パン高圧洗浄ノズル挿入口７ｄの近くで、高圧噴射ノズル５０１を洗濯機パンワイヤ８ｄに結合させる。洗濯機パンワイヤ８ｄは、ループを形成しているので、洗濯機パンワイヤ８ｄをワイヤ出口管３３からたぐりよせることにより、高圧噴射ノズル５０１は、洗濯機パンワイヤ８ｄに沿って、洗濯機パン高圧噴射ノズル挿入口７ｄから洗濯機パンノズル導管６ｄ、特殊継ぎ手４０、洗濯機パン排水横枝管３ｄを介し、排水横主管４に挿入される。
【００７１】
高圧噴射ノズル５０１が分岐点１０ｅに達したら、噴射切替器５１０を切り替え、高圧噴射口５０２から高圧水を噴射させ、洗濯機パンワイヤ８ｄを引き寄せることにより高圧噴射ノズル５０１を引き戻す。高圧洗浄ノズル５０１から噴射された高圧水によって、分岐点１０ｅと分岐点１０ｄ間の排水横主管４と洗濯機パン排水横枝管３ｄの内部が洗浄される。高圧噴射ノズル５０１が特殊継ぎ手４０に達したら、噴射切替器５１０を切り替え、高圧噴射口５０２から高圧空気を噴射させる。高圧噴射ノズル５０１は、高圧空気を噴射しながら洗濯機パンノズル導管６ｄを介し導管ヘッダー３００まで引き戻される。洗浄排水は、高圧噴射口５０２から噴射される高圧空気によって押し出され、高圧噴射ノズル５０１が導管ヘッダー３００に達すると、導管ヘッダー３００の内部に排出される。
【００７２】
次に、排水縦本管高圧噴射ノズル挿入口７ｅの近くで、高圧洗浄器具５００に設けられた高圧噴射ノズル５０１を縦本管ワイヤ８ｅに結合させる。縦本管ワイヤ８ｅは、ループを形成しているので、縦本管ワイヤ８ｅをワイヤ出口３３からたぐりよせることにより、高圧噴射ノズル５０１は、縦本管ワイヤ８ｅに従って、排水縦本管ノズル導管６ｅを介し排水縦本管５に挿入される。
【００７３】
高圧洗浄ノズル５０１が分岐点５ｂに達したら、噴射切替器５１０を切り替え、高圧噴射ノズル５０１から高圧水を噴射させ、洗濯機パンワイヤ８ｅを引き寄せることにより高圧噴射ノズル５０１を引き戻す。高圧噴射ノズル５０１から噴射された高圧水によって、分岐点５ｂと分岐点５ａ間の排水縦本管５の内部を洗浄させる。
【００７４】
高圧洗浄ノズル５０１が分岐点５ａに達したら、噴射切替器５１０を切り替え、高圧噴射口５０２から高圧空気を噴射させる。高圧噴射ノズル５０１は、高圧空気を噴射しながら排水縦本管ノズル導管６ｅを介し導管ヘッダー３００まで引き戻される。洗浄排水は、高圧噴射口５０２から噴射される高圧空気によって押し出され、高圧噴射ノズル５０１が導管ヘッダー３００に達すると、導管ヘッダー３００の内部に排出される。
【００７５】
その後、ヘッダー栓６４をはずし、導管ヘッダー３００に溜まった洗浄排水をヘッダー給気管６０から排出し、洗浄作業を終了する。
【００７６】
このように、作業員は、意図した洗浄ルートに沿って高圧噴射ノズル５０１を挿入させ、目的とする排水管の洗浄作業を行うことができる。そして、高圧噴射ノズル５０１が、挿入された排水口とは別の排水口から突出するという事故もなくなる。
【産業上の利用可能性】
【００７７】
以上、説明したように、本発明は、マンション等の高層集合住宅における配管洗浄作業において、作業員が宅内に入る事なく、安全かつ効率的に宅外からの排水管の洗浄作業を行うことを可能にした排水管システムおよび排水管洗浄方法を提供できる。
【図面の簡単な説明】
【００７８】
【図１】本発明の一実施例に係る排水管システムを示す図である。
【図２】本発明の一実施例に係るマンション等の高層集合住宅の内部の排水管を略示的に示した図である。
【図３】本発明の一実施例に係る排水管システムを用いた排水管洗浄方法を説明する図である。
【図４】図４（ａ）は本発明の一実施例に係る排水横枝管の端部に取り付けられた特殊継ぎ手とノズル導管を示す斜視図、図４（ｂ）は図４（ａ）の断面図である。
【図５】本発明の一実施例に係る排水管洗浄システムにおいて使用される高圧洗浄器具の構成を示した図である。
【図６】図６（ａ）は本発明の一実施例に係る導管ヘッダーの構造を示した外観斜視図、図６（ｂ）は本発明の一実施例に係る導管ヘッダーの上蓋を開けたときの構造を示す図である。
【図７】図７（ａ）本発明の一実施例に係るヘッダーの上部に設けられたヘッダー栓を説明する図、図７（ｂ）本発明の一実施例に係るヘッダーの下部に設けられたヘッダー栓を説明する図である。
【図８】従来の実施例に係る各階の排水管設置図である。
【図９】従来の実施例に係るマンション等の高層集合住宅の建物内の排水管システムを説明する図である。
【図１０】従来の排水管洗浄システムにおける排水洗浄方法を説明する図である。
【図１１】従来の実施例における洗浄方法に使用される洗浄器具の構成を示した図である。
【符号の説明】
【００７９】
３  排水横枝管
４  排水横主管
５  排水縦本管
６  ノズル導管
１ａ  洗面器
１ｂ  台所流し台
１ｃ  ユニットバス
１ｄ  洗濯機パン
２ａ  洗面器排水口
２ｂ  台所流し台排水口
２ｃ  ユニットバス排水口
２ｄ  洗濯機パン排水口
３ａ  洗面器排水横枝管
３ｂ  台所流し台排水横枝管
３ｃ  ユニットバス排水横枝管
３ｄ  洗濯機パン排水横枝管
５  排水縦本管
５ａ，５ｂ  分岐点
６ａ  洗面器ノズル導管
６ｂ  台所流し台ノズル導管
６ｃ  ユニットバスノズル導管
６ｄ  洗濯機パンノズル導管
６ｅ  排水縦本管ノズル導管
７ａ  洗面器高圧噴射ノズル挿入口
７ｂ  台所流し台高圧噴射ノズル挿入口
７ｃ  ユニットバス高圧噴射ノズル挿入口
７ｄ  洗濯機パン高圧噴射ノズル挿入口
７ｅ  排水縦本管高圧噴射ノズル挿入口
８ａ  洗面器ワイヤ
８ｂ  台所流し台ワイヤ
８ｃ  ユニットバスワイヤ
８ｄ  洗濯機パンワイヤ
８ｅ  縦本管ワイヤ
１０ａ〜１０ｄ  分岐点
２０，３０  戻りワイヤ横収納管
２７，３７，４７，５７  戻りワイヤ縦収納管
３３  ワイヤ出口管
３８、４８  OLE_LINK1ヘッダー戻りワイヤ収納管OLE_LINK1
４０  特殊継ぎ手
４０ａ  嵌合部
６０、６６  ヘッダー給気管
６４、６５  ヘッダー栓
２００  集合管
２０１  下水道
５００  高圧洗浄器具
５０１  高圧噴射ノズル
５０２  高圧噴射口
５０３  高圧洗浄水ホース
５１０  噴射切替器
５１３  高圧水ホース
５２０  高圧水ポンプ
５２３  給水ホース
５３３  高圧空気ホース
５４０  高圧空気ポンプ
５４３  給気ホース
９００  通気口
９０１  通気管
９０２  通気管
【図１】
2006077441.tif 000003
【図２】
2006077441.tif 000004
【図３】
2006077441.tif 000005
【図４】
2006077441.tif 000006
【図５】
2006077441.tif 000007
【図６】
2006077441.tif 000008
【図７】
2006077441.tif 000009
【図８】
2006077441.tif 000010
【図９】
2006077441.tif 000011
【図１０】
2006077441.tif 000012
【図１１】
2006077441.tif 000013